(57)【特許請求の範囲】
【請求項１】
無線通信ネットワーク（１００）のネットワークノード（１１０）において、前記無線通信ネットワーク（１００）における１つまたは複数の無線デバイス（１０５）によるチャネル状態情報（ＣＳＩ）測定を行うために使用される参照信号リソースを設定する方法（４００）であって、
周波数および時間領域の１つまたは複数において参照信号リソースをアグリゲートすること（４０５）と、
前記１つまたは複数の無線デバイス（１０５）に送信される、アグリゲートされた前記参照信号リソースの密度特性を調節すること（４１０）と、を含み、
前記密度特性はアグリゲートされた参照信号リソースが送信される無線アクセスノード（１１０）におけるポート数を含み、
前記密度特性の調節は、少なくともビーム管理制御パラメータに基づく、方法。
【請求項２】
前記密度特性は、前記アグリゲートされた参照信号リソースのサンプリング速度またはサンプルの間隔、および前記アグリゲートされた参照信号リソースが割り当てられる周波数帯域のうちの少なくとも１つをさらに含む、請求項１に記載の方法。
【請求項３】
前記密度特性の前記調節は、サブキャリア間隔制御パラメータ、およびチャネル変動測定パラメータのうちの少なくとも１つに少なくとも部分的にさらに基づく、請求項１または２に記載の方法。
【請求項４】
前記調節された密度特性を有する前記アグリゲートされた参照信号リソースの指示を、前記１つまたは複数の無線デバイス（１０５）にシグナリングすることをさらに含む、請求項１から３のいずれか一項に記載の方法。
【請求項５】
前記調節された密度特性を有する前記アグリゲートされた参照信号リソースを使用して、参照信号を前記無線デバイス（１０５）のそれぞれに送信することをさらに含む、請求項１から４のいずれか一項に記載の方法。
【請求項６】
無線通信ネットワークにおいて使用するためのネットワークノード（１１０）であって、
周波数および時間領域の１つまたは複数において参照信号リソースをアグリゲートすること、および、
１つまたは複数の無線デバイス（１０５）に送信されるアグリゲートされた前記参照信号リソースの密度特性を調節することによって、前記無線通信ネットワーク（１００）における前記１つまたは複数の無線デバイス（１０５）によるチャネル状態情報（ＣＳＩ）測定を行うために使用される参照信号リソースを設定するように適応され、
前記密度特性はアグリゲートされた参照信号リソースが送信される無線アクセスノード（１１０）におけるポート数を含み、
前記密度特性の調節は、少なくともビーム管理制御パラメータに基づく、ネットワークノード（１１０）。
【請求項７】
請求項６に記載のネットワークノード（１１０）を含み、複数の無線通信デバイス（１０５）をさらに含む、システム。
【請求項８】
前記ネットワークノード（１１０）は、前記調節された密度特性を有する前記アグリゲートされた参照信号リソースを使用して、参照信号を前記無線デバイス（１０５）のそれぞれに送信するようにさらに適応される、請求項７に記載のシステム。
【請求項９】
前記ネットワークノード（１１０）は、前記調節された密度特性を有する前記アグリゲートされた参照信号リソースの指示を、前記無線デバイス（１０５）のそれぞれに送信するようにさらに適応される、請求項７または８に記載のシステム。
【発明の詳細な説明】
【技術分野】
【０００１】
開示された主題は、一般的に、電気通信に関し、より詳細には、次世代移動無線通信システムのチャネルにおけるチャネル状態情報参照信号（ＣＳＩ−ＲＳ）密度の制御に関する。
【背景技術】
【０００２】
次世代移動無線通信システム（５ＧまたはＮＲ）は、使用ケースの多様なセット、および展開シナリオの多様なセットをサポートするものになる。この展開シナリオの多様なセットは、現在のＬＴＥと同様の低い周波数（数百ＭＨｚ）、および非常に高い周波数（数十ＧＨｚのｍｍ波）両方における展開を含む。高周波数では、伝搬特性は良好なカバレッジの達成を困難にしている。カバレッジ問題に対する１つの解決策は、満足のいくリンクバジェットを達成するために、典型的にはアナログ式の高利得ビーム形成を利用することである。ビーム形成はまた、低周波数において使用されることになり（典型的には、デジタルビーム形成）、既に標準化済みの３ＧＰＰ  ＬＴＥシステム（４Ｇ）と実際は同様であることが予想される。
【０００３】
背景目的で、ＬＴＥの重要な態様の一部がこのセクションにおいて説明される。この中で、特に関連のあるものは、チャネル状態情報参照信号（ＣＳＩ−ＲＳ）について説明しているサブセクションである。同様の信号は、ＮＲに対しても設計されることになり、本願の主題である。
【０００４】
ここで使用される、ｅＮｏｄｅＢおよびＵＥなどの専門用語は、非限定的とみなすものとし、とりわけ、この２つの間にある特定の階層関係を暗示するものではなく、一般に、「ｅＮｏｄｅＢ」はデバイス１、「ＵＥ」はデバイス２とみなされ得、これら２つのデバイスは何らかの無線チャネル上で互いに通信することに留意されたい。本明細書では、また、ダウンリンクにおける無線通信に重点を置いているが、本発明はアップリンクにおいて等しく適用可能である。
【０００５】
ＬＴＥおよびＮＲは、ダウンリンクではＯＦＤＭ、アップリンクではＤＦＴ拡散ＯＦＤＭまたはＯＦＤＭを使用する。基本的なＬＴＥまたはＮＲダウンリンク物理リソースはよって、図６に示されるように、時間周波数グリッドとして見ることができ、この場合、それぞれのリソースエレメントは、１つのＯＦＤＭシンボル間隔中の１つのＯＦＤＭサブキャリアに対応する。
【０００６】
さらに、図７に示されるように、時間領域では、ＬＴＥダウンリンク送信は１０ミリ秒の無線フレームに組織化され、それぞれの無線フレームは、長さＴｓｕｂｆｒａｍｅ＝１ミリ秒の１０の等しいサイズのサブフレームから成る。
【０００７】
さらに、ＬＴＥにおけるリソース割り当ては、典型的には、リソースブロックに関して説明され、この場合、リソースブロックは時間領域では１つのスロット（０．５ミリ秒）、周波数領域では１２の連続的なサブキャリアに対応する。リソースブロックは、周波数領域において、システム帯域幅の片端から０で始まる番号が付けられる。ＮＲについて、リソースブロックはまた周波数において１２のサブキャリアであるが、ＮＲリソースブロックにおけるＯＦＤＭシンボルの数は依然判断されていない。本明細書で使用される「リソースブロック」という用語がそのように、ある特定の数のサブキャリアおよびある特定の数のＯＦＤＭシンボルにわたるリソースのブロックに言及することになり、この用語は本明細書で使用される際、いくつかのインスタンスでは、ＮＲに対する標準またはある他のシステムに対する標準における「リソースブロック」は何によって最終的にラベル表示されるかによるリソースの異なるサイズのブロックに言及することは、諒解されるであろう。
【０００８】
ダウンリンク送信は、動的にスケジューリングされ、すなわち、それぞれのサブフレームにおいて、基地局は、現在のダウンリンクサブフレームにおいて、どの端末データが送信され、かつどのリソースブロック上でデータが送信されるかについての制御情報を送信する。制御シグナリングは典型的には、ＬＴＥではそれぞれのサブフレームにおける最初の１、２、３、または４のＯＦＤＭシンボルにおいて、ＮＲでは１または２のＯＦＤＭシンボルにおいて送信される。制御としての３のＯＦＤＭシンボルによるダウンリンクシステムは、図８に示されるダウンリンクサブフレームに示されている。
【０００９】
コードブックベースプリコーディング
マルチアンテナ技法は、無線通信システムのデータ速度および信頼性を大幅に高める可能性がある。この性能は特に、送信機および受信機両方が複数のアンテナを装備する場合に改善され、これによって、マルチ入力マルチ出力（ＭＩＭＯ）通信チャネルがもたらされる。このようなシステムおよび／または関連技法は、一般的にＭＩＭＯという。
【００１０】
ＮＲは現在、ＭＩＭＯサポートによって発展している。ＮＲにおける中核のコンポーネントは、ＭＩＭＯアンテナの展開、およびより高いキャリア周波数でのビーム形成を含むＭＩＭＯ関連技法のサポートである。現在、ＬＴＥおよびＮＲは、チャネル依存プリコーディングによる最大３２のＴｘアンテナに対する８層空間多重化モードをサポートしている。空間多重化モードは、好適なチャネル条件における高データ速度を目的としている。図９において、空間多重化動作が図示されている。
【００１１】
見られるように、シンボルベクトルｓを伝達する情報は、ＮＴ×ｒプリコーダ行列Ｗによって乗算され、これは、（ＮＴアンテナポートに対応する）ＮＴ−次元ベクトル空間の部分空間における送信エネルギーを分散するのに役立つ。プリコーダ行列は典型的には、可能なプリコーダ行列のコードブックから選択され、典型的には、一定数のシンボルストリームに対してコードブックにおいて一意のプリコーダ行列を指定するプリコーダ行列インジケータ（ＰＭＩ）によって指示される。ｓにおけるｒのシンボルはそれぞれ、ある層に対応し、ｒは送信ランクと称される。このように、空間多重化は達成されるが、これは、複数のシンボルが同じ時間／周波数リソースエレメント（ＴＦＲＥ）上で同時に送信可能であるからである。シンボル数ｒは典型的には、現在のチャネル性質に合うように適応される。
【００１２】
ＬＴＥおよびＮＲは、ダウンリンクにおいてＯＦＤＭを使用するため、サブキャリアｎ（または代替的には、データＴＦＲＥ番号ｎ）上のある特定のＴＦＲＥに対する受信されたＮＲ×１ベクトルｙｎはよって、
ｙｎ＝ＨｎＷｓｎ＋ｅｎ
によってモデル化され、式中、ｅｎは、ランダムプロセスの実現として取得される雑音／干渉ベクトルである。プリコーダ行列Ｗによって実装されるプリコーダは、周波数上で一定である、または周波数選択である広帯域プリコーダとすることができる。
【００１３】
プリコーダ行列は多くは、ＮＲ×ＮＴのＭＩＭＯチャネル行列Ｈｎの特性に整合するように選定されることで、いわゆるチャネル依存プリコーディングが生じる。これは一般的に、閉ループプリコーディングと称され、送信されたエネルギーの多くをＵＥに伝えるという意味で強力である部分空間へ送信エネルギーを集中させることを本質的に追及するものである。さらに、プリコーダ行列は、チャネルの直交化を追及するように選択されてもよく、このことは、ＵＥにおける適正な線形等化の後に層間干渉が低減することを意味する。
【００１４】
送信ランク、ひいては空間多重化層の数は、プリコーダの列数に反映される。効率的な性能にとって、チャネル性質に整合する送信ランクが選択されることが重要である。
【００１５】
チャネル状態情報参照シンボル（ＣＳＩ−ＲＳ）
ＬＴＥおよびＮＲにおいて、参照シンボルシーケンスはチャネル状態情報（ＣＳＩ−ＲＳ）を推定する目的で導入された。ＣＳＩ−ＲＳは、その目的で以前のリリースで使用された共通参照シンボル（ＣＲＳ）に基づいてＣＳＩフィードバックを行うことによるいくつかの利点を提供する。第一に、ＣＳＩ−ＲＳは、データ信号の復調に使用されないため、同じ密度を必要としない（すなわち、ＣＳＩ−ＲＳのオーバーヘッドは実質的に少なくなる）。第二に、ＣＳＩ−ＲＳは、ＣＳＩフィードバック測定を設定するためのはるかに多くのフレキシブルな手段を提供する（例えば、ＣＳＩ−ＲＳリソースが測定の際に基づくものは、ＵＥ固有式に設定可能である）。
【００１６】
ＣＳＩ−ＲＳに対する測定によって、ＵＥは無線伝搬チャネルおよびアンテナ利得を含んで、ＣＳＩ−ＲＳが横断する効果的なチャネルを推定できる。より数学的に厳密に言えば、これは、既知のＣＳＩ−ＲＳ信号ｘが送信される場合、ＵＥが送信信号と受信信号との間の結合（すなわち、効果的なチャネル）を推定することができることを暗示する。それゆえに、送信時に仮想化が行われない場合、受信信号ｙは、
ｙ＝Ｈｘ＋ｅ
と表すことができ、ＵＥは効果的なチャネルＨを推定できる。
【００１７】
最大３２のＣＳＩ−ＲＳポートは、ＬＴＥまたはＮＲのＵＥに対して設定可能であり、すなわち、ＵＥはそのために、最大８個の送信アンテナからチャネルを推定することができる。
【００１８】
アンテナポートは、ＵＥがチャネルを測定するために使用するものとする参照信号リソースと同等である。それゆえに、２つのアンテナを有する基地局は２つのＣＳＩ−ＲＳポートを規定することが可能であり、ここで、それぞれのポートはサブフレームまたはスロット内の時間周波数グリッドにおけるリソースエレメントのセットである。基地局は、２つのアンテナのそれぞれからこれら２つの参照信号のそれぞれを送信することで、ＵＥは２つの無線チャネルを測定し、かつこれらの測定に基づいてチャネル状態情報を基地局に返信して報告する。ＬＴＥにおいて、１、２、４、８、１２、１６、２０、２４、２８、および３２のポートを有するＣＳＩ−ＲＳリソースがサポートされる。
【００１９】
ＣＳＩ−ＲＳは、２つのアンテナポートを２つの連続的なＲＥにオーバーレイするために、長さ２の直交カバーコード（ＯＣＣ）を利用する。ＬＴＥリリース９／１０のＵＥ固有ＲＳ（黄色）、（ＣＳＩ−ＲＳアンテナポートに対応する番号でマークされた）ＣＳＩ−ＲＳ、およびＣＲＳ（青色および紺青色）に対する潜在的な位置によるＲＢペア上のリソースエレメントグリッドを示す、図１０に見られるように、多くの異なるＣＳＩ−ＲＳパターンが利用可能である。２つのＣＳＩ−ＲＳアンテナポートの場合について、サブフレーム内に２０個の異なるパターンがある。対応するパターン数は、４個および８個のＣＳＩ−ＲＳアンテナポートそれぞれに対して１０個および５個である。ＴＤＤについて、いくつかの追加のＣＳＩ−ＲＳパターンが利用可能である。
【００２０】
ＣＳＩ参照信号設定は、ＬＴＥ仕様のＴＳ３６．２１１  ｖ．１２．５．０から取り入れられた以下の表によって示される。例えば、４個のアンテナポートに対するＣＳＩ  ＲＳ設定５はスロット１（サブフレームの第２のスロット）において（ｋ’、ｌ’）＝（９、５）を使用し、以下の式に従って、（ＰＲＢインデックスをｍ＝０と仮定して）それぞれ、ポート１５、１６はリソースエレメント（ｋ、ｌ）＝（９、５）（９、６）上でＯＣＣを使用し、ポート１７、１８はリソースエレメント（３、５）（３、６）上でＯＣＣを使用し、ここで、ｋはサブキャリアインデックスであり、ｌはＯＦＤＭシンボルインデックスである。
【００２１】
直交カバーコード（ＯＣＣ）は係数ｗｌＮによって以下に導入される。
0006987863.tif 000002
0006987863.tif 000003
0006987863.tif 000004
【００２２】
２Ｄアンテナアレイ
ＬＴＥにおいて、２次元アンテナアレイに対するサポートは、それぞれのアンテナエレメントが独立した位相および振幅制御を有する場合に導入されたもので、それによって、垂直次元および水平次元両方におけるビーム形成が可能になる。このようなアンテナアレイは、水平次元に対応するアンテナ列数Ｎｈ、垂直次元に対応するアンテナ行数Ｎｖ、および種々の偏波に対応する次元数Ｎｐによって（部分的に）説明されてよい。よって、アンテナの総数はＮ＝ＮｈＮｖＮｐである。Ｎｈ＝８およびＮｖ＝４である場合のアンテナの例は図１１に示され、この左側に、交差偏波アンテナエレメントの２次元アンテナアレイ（Ｎｐ＝２）と共に、Ｎｈ＝４の水平アンテナエレメントおよびＮｖ＝８の垂直アンテナエレメントが示されており、図１１の右側に、２個の垂直ポートおよび４個の水平ポートを有する実際のポートレイアウトが示されている。これは、例えば４つの垂直アンテナエレメントによってそれぞれのポートを仮想化することによって取得され得る。それゆえに、交差偏波ポートが存在すると仮定すると、ＵＥはこの例では１６個のアンテナポートを測定することになる。
【００２３】
しかしながら、標準化の観点から、エレメントアンテナアレイの実際の数はＵＥに可視ではなく、むしろ、それぞれのポートがＣＳＩ参照信号に対応するアンテナポートに可視である。よって、ＵＥは、これらのポートのそれぞれからチャネルを測定できる。従って、水平次元におけるアンテナポート数Ｍｈ、垂直次元に対応するアンテナ行数Ｍｖ、および異なる偏波に対応する次元数Ｍｐによって説明される２Ｄポートレイアウトを導入する。よって、アンテナポートの総数はＭ＝ＭｈＭｖＭｐである。これらのポートのＮ個のアンテナエレメントへのマッピングは、ｅＮＢの実装の問題であるため、ＵＥによって可視ではない。ＵＥはＮの値も知らず、ポート数Ｍの値のみを知る。
【００２４】
プリコーディングは、送信の前にそれぞれのアンテナポートについて異なるビーム形成の重みを有する信号を乗算するものとして解釈されてもよい。典型的なアプローチは、プリコーダをアンテナ形成ファクタに適応させる（すなわち、プリコーダコードブックを設計する時にＭｈ、Ｍｖ、およびＭｐを考慮に入れる）ことである。
【００２５】
２Ｄアンテナアレイに対して適応されたプリコーダコードブックを設計する時の一般的なアプローチは、クロネッカー積によって、アンテナポートの水平アレイおよび垂直アレイそれぞれに適応させたプリコーダを組み合わせることである。これは、プリコーダ（の少なくともその一部）が以下の関数として説明可能であることを意味する。
0006987863.tif 000005
式中、ＷＨはＮＨ個のコードワードを含有する（ｓｕｂ）−ｃｏｄｅｂｏｏｋ  ＸＨから得られた水平プリコーダであり、同様に、ＷＶは、ＮＶ個のコードワードを含有する（ｓｕｂ）−ｃｏｄｅｂｏｏｋ  ＸＶから得られた垂直プリコーダである。
0006987863.tif 000006
で示されるジョイントコードブックは、よって、ＮＨ・ＮＶのコードワードを含有する。ＸＨのコードワードは、ｋ＝０、…、ＮＨ−１でインデックス付けられ、ＸＶのコードワードはｌ＝０、…、ＮＶ−１でインデックス付けられ、ジョイントコードブック
0006987863.tif 000007
のコードワードは、ｍ＝０、…、ＮＨ・ＮＶ−１を意味する、ｍ＝ＮＶ・ｋ＋ｌでインデックス付けられる。
【００２６】
ＬＴＥリリース１２  ＵＥおよびこれより以前のものについて、２、４、または８個のアンテナポートを有する１Ｄポートレイアウトに対するコードブックフィードバックのみがサポートされる。従って、コードブックはこれらポートが直線上に配置されることを仮定して設計される。
【００２７】
２Ｄアンテナポートのサブセットについての定期的なＣＳＩ報告
不定期なＣＳＩ報告に対する測定より、定期的なＣＳＩ報告に対するより少ないＣＳＩ−ＲＳポートでの測定を使用する方法が提案されている。
【００２８】
１つのシナリオでは、定期的なＣＳＩ報告フレームワークはレガシー端末の定期的なＣＳＩ報告フレームワークと同一である。それゆえに、２、４、または８個のＣＳＩ−ＲＳポートによる定期的なＣＳＩ報告は、Ｐ−ＣＳＩ報告に使用され、追加のポートはＡ−ＣＳＩ報告に使用される。ＵＥおよびｅＮＢの観点から、定期的なＣＳＩ報告に関する動作はレガシーな動作と同一である。
【００２９】
最大６４個のポートまたはそれ以上の完全で大きな２ＤポートレイアウトのＣＳＩ測定は、不定期な報告にのみ存在する。Ａ−ＣＳＩはＰＵＳＣＨ上で伝達されるため、ペイロードは、ＰＵＣＣＨフォーマット２を使用するＰ−ＣＳＩの小さい１１ビット制限よりはるかに大きい可能性がある。
【００３０】
２Ｄアンテナアレイに対するＣＳＩ−ＲＳリソース割り当て
１２または１６ポートについて、クラスＡのＣＳＩ報告用のＣＳＩ−ＲＳリソースは、それぞれＮ個のポートを有するＫのＣＳＩ−ＲＳ設定のアグリゲーションとして構成されることに同意されてきた。ＣＤＭ−２の場合、ＫのＣＳＩ−ＲＳリソース設定は、ＴＳ３６．２１１におけるレガシーなリソース設定によるＣＳＩ−ＲＳ  ＲＥの位置を指示する。１６ポートでは、（Ｎ、Ｋ）＝（８、２）、（２、８）である。１２ポート構成では、（Ｎ、Ｋ）＝（４、３）、（２、６）である。
【００３１】
アグリゲートされたリソースのポートは、下記に従ってコンポーネントリソースのポートに対応する。
・アグリゲートされたポート番号は１５、１６、…、３０（１６個のＣＳＩ−ＲＳポートについて）
・アグリゲートされたポート番号は１５、１６、…、２６（１２個のＣＳＩ−ＲＳポートについて）
【００３２】
ＣＳＩ−ＲＳアンテナポート番号付け
所与のＰ個のアンテナポートに対して、リリース１０、１２、および１３のプリコーディングコードブックは、最初のＰ／２個のアンテナポート（例えば、１５〜２２）が共偏波アンテナのセットにマッピングされるものとし、最後のＰ／２個のアンテナポート（例えば、１６〜３０）は、最初のセットに対する直交偏波を有する共偏波アンテナの別のセットにマッピングされるものとするように、設計される。よって、これは交差偏波アンテナアレイを対象にしている。図１２は、Ｐ＝８のポートの場合のアンテナポート番号付けを示す。
【００３３】
それゆえに、ランク１の場合のコードブックの原理は、ＤＦＴ「ビーム」ベクトルがＰ／２個のポートのそれぞれのセットに対して選定され、ＱＰＳＫアルファベットを有する位相シフトは２セットのアンテナポートを共位相にするために使用される。よって、ランク１のコードブックは以下のように構成される。
0006987863.tif 000008
式中、ａは第１および第２それぞれの偏波のビームを形成する長さＰ／２のベクトルであり、ωは２つの直交偏波を共位相にする共位相スカラである。
【００３４】
ＮＲにおけるＣＳＩ−ＲＳ信号の使用
ＮＲにおいて、ＣＳＩ−ＲＳ信号は、ＬＴＥにおけるのと少なくとも同様の目的で設計かつ使用される必要がある。しかしながら、ＮＲのＣＳＩ−ＲＳは、ビーム管理などのさらなる目的を果たすことが予想される。ビーム管理は、ｅＮＢおよびＵＥビームがトラッキングされるプロセスであり、これには、ＵＥが、マルチビーム送受信ポイント（ＴＲＰ）のカバレッジエリア内およびこれらの間両方で移動する際に適したビーム間を見つけること、維持すること、および切り換えることが含まれる。これは、ＵＥが、ＣＳＩ−ＲＳ参照信号に対する測定を行い、かつこれらの測定値を、ビーム管理決定の目的でネットワークにフィードバックすることによって、成し遂げられる。
【００３５】
よって、問題になるのは、デジタルおよびアナログ両方のビーム形成による、「ＬＴＥタイプ」の機能性のみならず、ビーム管理機能性に使用可能であるＣＳＩ−ＲＳをどのように設計するかである。
【００３６】
ＮＲとＬＴＥとの間のさらなる相違点は、ＮＲが、フレキシブルな数秘学、すなわち、１５ｋＨｚの公称値によるスケーラブルなサブキャリア間隔（ＳＣＳ）をサポートすることになることである。公称値は、２の累乗においてスケーラブルであり、すなわち、ｆＳＣ＝１５＊２ｎｋＨｚであり、この場合、ｎ＝−２、−１、０、１、２、３、４、５である。これは、より大きいサブキャリア間隔は、リソースエレメント（ＲＥ）が周波数次元においてより広がることになり得、これによって、ＣＳＩ−ＲＳ間の周波数の距離が大きくなることを意味するため、ＣＳＩ−ＲＳ構造に影響する。よって、ＳＣＳに依存する周波数密度を調節できるようにＣＳＩ−ＲＳをどのように設計するかが問題である。
【００３７】
もう１つの可能な相違点は、ＮＲがＬＴＥより短い送信持続時間をサポートする場合があることである。ＮＲ送信持続時間は、スロットが７または１４どちらかのＯＦＤＭシンボルの長さとすることができるスロットである。対照的に、ＬＴＥにおける送信持続時間は、１４のシンボルに等しい１つのサブフレームにおいて固定される。
【００３８】
さらに、ＮＲに共通参照信号（ＣＲＳ）がないため、ＮＲにおけるＣＳＩ−ＲＳの配置はＮＲとの衝突を回避するように制限されない。よって、より大幅な柔軟性がＮＲに対するＣＳＩ−ＲＳの設計において使用されてよい。
【発明の概要】
【００３９】
本明細書に説明される技法および装置のいくつかは、上記の問題に取り組み、かつＮＲに対するＣＳＩ−ＲＳの設計および使用におけるより大幅な柔軟性を提供する。
【００４０】
本明細書に開示された発明のいくつかの実施形態は、無線通信ネットワークのネットワークノードにおいて、無線通信ネットワークにおける１つまたは複数の無線デバイスによるチャネル状態情報（ＣＳＩ）測定を行うために使用される参照信号リソースを設定する方法を含む。この方法は、周波数および時間領域の１つまたは複数において参照信号リソースをアグリゲートするステップと、１つまたは複数の無線デバイスに送信される、アグリゲートされた参照信号リソースの密度特性を調節するステップとを含む。いくつかの実施形態では、密度特性は、アグリゲートされた参照信号リソースが送信される無線アクセスノードにおけるポート数、アグリゲートされた参照信号リソースのサンプリング速度またはサンプルの間隔、およびアグリゲートされた参照信号リソースが割り当てられる周波数帯域のうちの少なくとも１つを含む。この密度特性の調節は、いくつかの実施形態では、サブキャリア間隔制御パラメータ、ビーム管理制御パラメータ、およびチャネル変動測定パラメータのうちの少なくとも１つに少なくとも部分的に基づいてよい。
【００４１】
本明細書に開示された発明の他の実施形態は、無線通信ネットワークのネットワークノードにおいて、本明細書に説明される技法の１つまたは複数に従って、無線通信ネットワークにおける無線デバイスによる測定のために参照信号を送信するために使用される可変密度の参照信号リソースを選択的に設定する方法を含む。これらの実施形態のいくつかにおいて、方法は、複数のリソースアグリゲーションの中からリソースアグリゲーションを選択することを含み、この場合、複数の異なっているリソースアグリゲーションのそれぞれは、異なる番号のリソースユニットを有し、かつ１つまたは複数のリソースブロックのそれぞれごとに、それぞれの送信スロット内のリソースユニットを伝達する第１の番号ｉのＯＦＤＭシンボル、および第１の番号のＯＦＤＭシンボルのそれぞれごとの第２の番号ｊのリソースユニットを含む。それぞれのリソースブロックは、周波数領域における所定数のサブキャリアを含む。方法は、それぞれの送信スロット内のリソースユニットが割り当てられる、第３の番号ｐのポートを選択することをさらに含む。リソースブロックごとの参照信号ポート密度Ｄを有する参照信号リソース設定はそれによって、設定される。方法は、ｐ個のポートのそれぞれに対して、少なくとも１つの送信スロットにおけるそれぞれのポートに割り当てられるリソースユニットを使用して、少なくとも１つの送信スロットにおいて無線デバイスに参照信号を送信することをさらに含む。いくつかの実施形態では、方法は、無線デバイスに参照信号リソース設定の指示をシグナリングすることをさらに含んでよい。
【００４２】
いくつかの実施形態では、上記に言及されるリソースユニットはそれぞれ、２つの隣接するＯＦＤＭリソースエレメントから成る。いくつかの実施形態では、それぞれの送信スロット内の第１の番号ｉのＯＦＤＭシンボルは連続している。
【００４３】
いくつかの実施形態では、ｐ個のポートのそれぞれに対して参照信号を送信することは、参照信号を送信する前に所定の信号シーケンスに直交カバーコードを適用することを含む。いくつかの実施形態では、方法は、複数のサブサンプリング係数からサブサンプリング係数ＳＦを選択することであって、それぞれのサブサンプリング係数は周波数領域における参照信号シンボルの異なる最小間隔に対応することで、Ｄ’＝Ｄ／ＳＦである、リソースブロックごとの低減した参照信号ポート密度Ｄ’を有する低減密度の参照信号設定を規定する、選択することをさらに含む。これらの実施形態では、少なくとも１つの送信スロットにおいて無線デバイスに参照信号を送信することは、低減密度の参照信号設定に従って参照信号を送信することを含む。
【００４４】
本発明の他の実施形態は、上で要約された方法に対応し、かつこれらの方法またはこれらの変形のうちの１つまたは複数を遂行するように設定される装置を含む。よって、実施形態は、無線通信ネットワークにおいて使用するためのネットワークノードを含み、このネットワークノードは、周波数および時間領域の１つまたは複数において参照信号リソースをアグリゲートすること、および１つまたは複数の無線デバイスに送信されるアグリゲートされた参照信号リソースの密度特性を調節することによって、無線通信ネットワークにおける１つまたは複数の無線デバイスによる（ＣＳＩ）測定を行うために使用される参照信号リソースを設定するように適応される。いくつかの実施形態では、ネットワークノードは、処理回路と、処理回路に動作可能に結合され、かつ処理回路によって実行するためのプログラムコードを記憶することによって、ネットワークノードはこれらの動作を遂行するように設定される、メモリと、を含んでよい。
【００４５】
他の実施形態は、無線通信ネットワークにおいて使用するための別のネットワークノードを含む。このネットワークノードは、複数のリソースアグリゲーションの中からリソースアグリゲーションを選択することであって、複数の異なっているリソースアグリゲーションのそれぞれは、異なる番号のリソースユニットを有し、かつ１つまたは複数のリソースブロックのそれぞれごとに、それぞれの送信スロット内のリソースユニットを伝達する第１の番号ｉのＯＦＤＭシンボル、および第１の番号のＯＦＤＭシンボルのそれぞれごとの第２の番号ｊのリソースユニットを含み、それぞれのリソースブロックは、周波数領域における所定数のサブキャリアを含む、選択すること、および、それぞれの送信スロット内のリソースユニットが割り当てられる、第３の番号ｐのポートを選択することによって、無線通信ネットワークにおける無線デバイスによる測定のための参照信号を送信するために使用される可変密度の参照信号リソースを選択的に設定するように適応される。これらの選択動作を行うことによって、リソースブロックごとの参照信号ポート密度Ｄを有する参照信号リソース設定はそれによって、規定される。このネットワークノードは、ｐ個のポートのそれぞれに対して、少なくとも１つの送信スロットにおけるそれぞれのポートに割り当てられるリソースユニットを使用して、少なくとも１つの送信スロットにおいて無線デバイスに参照信号を送信するようにさらに適応される。さらにまた、いくつかの実施形態では、このネットワークノードは、処理回路と、処理回路に動作可能に結合され、かつ処理回路によって実行するためのプログラムコードを記憶することによって、ネットワークノードはこれらの動作を遂行するように設定される、メモリと、を含んでよい。
【００４６】
さらなる他の実施形態は、１つまたは複数の無線デバイスに加えて、上で要約されるネットワークノードの１つまたは複数を含むシステムを含む。なお他の実施形態は、コンピュータプログラム製品と、コンピュータプログラム製品を記憶するコンピュータ可読媒体とを含み、この場合、コンピュータプログラム製品は、ネットワークノードのプロセッサによって実行するためのプログラム命令を含むことで、ネットワークノードがそれによって、以下にさらに詳述されるように、上で要約される方法またはこれらの変形の１つまたは複数を遂行するように動作可能であるようにする。
【００４７】
図面には、開示された主題の選択された実施形態が示されている。図面において、同様の参照標示は同様の特徴を示す。
【図面の簡単な説明】
【００４８】
【図１】ＬＴＥネットワークを示す図である。
【図２】無線通信デバイスを示す図である。
【図３】無線アクセスノードを示す図である。
【図４】ネットワークノードを動作させる方法を示すフローチャートである。
【図５】ネットワークノードを示す図である。
【図６】例示の直交周波数分割多重（ＯＦＤＭ）ダウンリンク物理リソースの概略図である。
【図７】例示のＯＦＤＭ時間領域構造の概略図である。
【図８】例示のＯＦＤＭダウンリンクサブフレームの概略図である。
【図９】空間多重化動作の機能ブロック図である。
【図１０】ＲＢペア上の例示のリソースエレメントグリッドの図式である。
【図１１】例示のアンテナアレイおよびこの対応するポートレイアウトの図式である。
【図１２】アンテナポートに対する例示の番号付け方式の図式である。
【図１３】無線通信ネットワークの無線アクセスノードと無線通信デバイスとの間の例示のシグナリング図である。
【図１４】無線通信ネットワークの無線アクセスノードと無線通信デバイスとの間の別の例示のシグナリング図である。
【図１５】１つのＰＲＢにおける６個のＣＳＩ−ＲＳユニットを有するＯＦＤＭシンボルの図式である。
【図１６】２つの異なるＮＲスロットサイズ、およびこれにおけるＣＳＩ−ＲＳユニットの例示の位置の図式である。
【図１７】ＣＳＩ−ＲＳユニットがアグリケートされてよいさまざまなリソース割り当て設定の図式である。
【図１８】図１７のリソース割り当て設定に対応するさまざまな例示のポート番号マッピングの図式である。
【図１９】アグリゲートされたＣＳＩ−ＲＳリソースのサブサンプリングから生じる２つの可能なコムパターンまたは構造の図式である。
【図２０】アグリゲートされたＣＳＩ−ＲＳリソースのサブサンプリングから生じる別の可能なコムパターンまたは構造の図式である。
【発明を実施するための形態】
【００４９】
以下の説明は、開示される主題のさまざまな実施形態を提示している。これらの実施形態は、教示する例として提示され、開示される主題の範囲を限定すると解釈されるものではない。例えば、説明される実施形態のある特定の詳細は、説明される主題の範囲から逸脱することなく、修正、省略、または拡げられてよい。
【００５０】
無線ノード：本明細書で使用される「無線ノード」は、無線アクセスノードまたは無線デバイスのどちらかである。
【００５１】
制御ノード：本明細書で使用される「制御ノード」は、別のノードを管理、制御、または設定するために使用される、無線アクセスノードまたは無線デバイスのどちらかである。
【００５２】
無線アクセスノード：本明細書で使用される「無線アクセスノード」は、信号を無線で送信するおよび／受信するように動作するセルラー通信ネットワークの無線アクセスネットワークにおける任意のノードである。無線アクセスノードのいくつかの例には、基地局（例えば、第３世代パートナーシッププロジェクト（３ＧＰＰ）Ｌｏｎｇ−Ｔｅｒｍ  Ｅｖｏｌｕｔｉｏｎ（ＬＴＥ）ネットワークにおける拡張またはエボルブドＮｏｄｅ  Ｂ（ｅＮＢ））、高電力またはマクロ基地局、低電力基地局（例えば、マイクロ基地局、ピコ基地局、またはホームｅＮＢなど）、および中継ノードが挙げられるがこれらに限定されない。
【００５３】
コアネットワークノード：本明細書で使用される「コアネットワークノード」はコアネットワーク（ＣＮ）における任意のタイプのノードである。コアネットワークノードのいくつかの例には、例えば、モビリティ管理エンティティ（ＭＭＥ）、エボルブドサービングモバイルロケーションセンター（Ｅ−ＳＭＬＣ）、パケットデータネットワーク（ＰＤＮ）ゲートウェイ（Ｐ−ＧＷ）、または、Ｓｅｒｖｉｃｅ  Ｃａｐａｂｉｌｉｔｙ  Ｅｘｐｏｓｕｒｅ  Ｆｕｎｃｔｉｏｎ（ＳＣＥＦ）などが挙げられる。
【００５４】
無線デバイス：本明細書で使用される「無線デバイス」は、セルラー通信ネットワークへの（またはこれによってサーブされる）アクセスするためにセルラー通信ネットワークにおいて別の無線デバイスに対してまたはネットワークノードに対して、信号を無線で送信するおよび／または受信することが可能な任意のタイプのデバイスである。無線デバイスのいくつかの例には、３ＧＰＰネットワークにおけるユーザ機器（ＵＥ）、マシン型通信（ＭＴＣ）デバイス、ＮＢ−ＩｏＴデバイス、ＦｅＭＴＣデバイスなどが挙げられるが、これらに限定されない。
【００５５】
ネットワークノード：本明細書で使用される「ネットワークノード」は、セルラー通信ネットワーク／システムまたはテスト機器ノードの無線アクセスネットワークまたはＣＮのどちらかの一部である任意のノードである。
【００５６】
シグナリング：本明細書で使用される「シグナリング」は、（例えば、無線リソース制御（ＲＲＣ）などを介した）上位層シグナリング、（例えば、物理制御チャネルまたはブロードキャストチャネルを介した）下位層シグナリング、またはこれらの組合せのいずれかを含む。シグナリングは、暗黙的または明示的であってよい。シグナリングは、さらに、ユニキャスト、マルチキャスト、またはブロードキャストであってよい。シグナリングはまた、別のノードに対して直接的であってよい、または第３のノードを介するものであってよい。
【００５７】
ＬＴＥとＮＲとの間の相違によって、時間の次元および周波数の次元両方におけるＣＳＩ−ＲＳリソース密度に関して非常にフレキシブルであるＣＳＩ−ＲＳの設計がなされる。例えば、大きなサブキャリア間隔（例えば、２４０ｋＨｚ）について、周波数選択チャネルの同様に間隔をあけたサンプルを維持するように、１５ｋＨｚの公称サブキャリア間隔に対するよりも周波数領域において大幅に高めた密度を有することが必要である。他方では、ビーム管理目的で、多くは、周波数におけるかなりの余分な密度を有することが必要である。それゆえに、ＮＲに必要とされるものは、広範な使用ケースに合うように、非常にフレキシブルで、設定可能な／制御可能な密度である。この高い柔軟性は、ＬＴＥ  ＣＳＩ−ＲＳ設計からは得られない。
【００５８】
非常にフレキシブルな／制御可能なＣＳＩ−ＲＳアンテナポート密度を有するＣＳＩ−ＲＳ設計は、ＮＲにとって望ましい。本明細書に開示される技法のいくつかによると、密度は、以下の２つの一般的なやり方の１つまたは両方において制御可能である。
１）アグリゲートされたＣＳＩ−ＲＳリソースにアサインされるポート数はネットワークによって設定可能である。リソースにアサインされるポートが少ないほど、ポート密度は高くなり、逆もまた同様である。
２）周波数領域におけるアグリゲートされたＣＳＩ−ＲＳのサブサンプリングは、ネットワークによって設定可能である。リソースのサブサンプリングが増加するほど、ポート密度は低くなり、逆もまた同様である。
【００５９】
フレキシブルな／制御可能なＣＳＩ−ＲＳポート密度によって、単一のＣＳＩ−ＲＳフレームワークを、ＮＲに必要な、広範な使用ケースおよび展開シナリオに合うように容易に適応させることが可能になる。前述の２つの一般的な制御特徴は、対象のシナリオに合うように個々にまたは一緒に使用されてよい。このような柔軟性によって、アナログビーム形成およびデジタルフロントエンド両方に対して、サブキャリア間隔全てにわたるＮＲシステム性能、および動作するキャリア周波数が改善する。
【００６０】
本明細書に開示される技法のいくつかの実施形態によると、基本的なＣＳＩ−ＲＳ「ユニット」は、スロットにおける１つのＯＦＤＭシンボル内に含有される２つの隣接するリソースエレメント（ＲＥ）として規定されてよい。これはモジュール式アプローチをであり、さらにまた、ＮＲ展開のさまざまな必要性および使用ケースをサポートするために拡張可能である。基本ユニットが周波数で隣接する２つのＲＥである技術的利点は、同じシンボルにおいてでは、ＬＴＥにおいて使用される異なるアプローチと比較して、ＮＲに対して設計される新しいトラッキング参照信号といった、他の参照信号とのこれらの重複における柔軟性は良好になる。
【００６１】
ＣＳＩ−ＲＳユニットは、ＣＳＩ−ＲＳリソースを形成するためにアグリゲートされてよい。ＣＳＩ−ＲＳリソースはネットワーク（ｇＮＢ、ｅＮＢ、ＴＲＰ、…）からＵＥにシグナリングされ、ＵＥは次いで、このＣＳＩ−ＲＳリソースにおいてＣＳＩ測定を行い、ＵＥはネットワークにＣＳＩ測定報告をフィードバックする。ネットワークはさらにまた、この情報を、リンク適応および／またはビーム選択および／またはビーム管理に対して使用する。
【００６２】
図１３は、（「ネットワーク／ｇＮＢ」と示される）無線通信ネットワークの無線アクセスノードと（「端末／ＵＥ」と示される）無線通信デバイスとの間のシグナリング図を示す。ここで、ネットワークは、ＣＳＩフィードバックに対するＣＳＩ−ＲＳリソースを設定し、かつ、ＣＳＩ−ＲＳを無線通信デバイス／ＵＥに送信する。次いで、ＵＥにおいて測定が行われ、ＣＳＩ報告はフィードバックとしてネットワークに送られる。データはさらにまた、例えば、ＣＳＩ報告から判断されるプリコーダに基づいて、無線アクセスノードから無線通信デバイスに送信されてよい。
【００６３】
図１４は同様のシグナリング図を示す。しかしながら、図１４には、ビーム管理セットアップも示され、ここで、無線通信デバイスはビームを選択する。さらに具体的には、ＣＳＩ−ＲＳリソースは、Ｂ個のビームに分割されるＮ個のポートを含有するため、それぞれのビームはＮ／Ｂ個のポートを有する。無線通信デバイスは、ＣＳＩフィードバックに使用するために、Ｎ／Ｂ個のポート、すなわち、ビームの所望のサブセットを選択する。
【００６４】
図１５は、１つのＰＲＢ内に収まる６個のＣＳＩ−ＲＳユニット（１２個のサブキャリア）を有するスロットにおけるＯＦＤＭシンボルを示す。それぞれの異なる色は異なるユニットを表す。長さ６のビットマップを使用して、ユニットまたはユニットの組合せ（アグリゲーション）のそれぞれがＣＳＩ−ＲＳリソースの一部であるか否かをネットワークからＵＥに指示してよい。それぞれの個々のＣＳＩ−ＲＳユニットに対するビットマップの値は、以下の表２に示されている。
0006987863.tif 000009
【００６５】
スロット内のＣＳＩ−ＲＳユニットの位置は、以下の表２に列挙される「アンカー位置」によって仕様に説明されている。この表のそれぞれの行において、アンカー位置の第１の値はサブキャリアインデックスを指示し、第２の値「ｘ」はＯＦＤＭシンボルインデックスを指示し、ここで、７シンボルのスロットの場合ｘ＝｛０、１、２、…、６｝であり、１４シンボルのスロットの場合にはｘ＝｛０、１、２、…、１３｝である。２つの異なるＮＲスロットサイズに対する例示の位置は図１６に示されている。
0006987863.tif 000010
【００６６】
ＣＳＩ−ＲＳリソースは、ＣＳＩ−ＲＳユニットのアグリゲーションとして、さらにまた、ポートアサインがネットワークからＵＥにシグナリングされると規定される。また、ＣＳＩ−ＲＳリソースは、ＣＳＩ−ＲＳリソースが有効であるリソースブロックを含むこともできる。場合によっては、ＣＳＩ−ＲＳは、システム帯域幅全体ではなく一部の帯域幅のみにわたる。本願に示される図は、単一または２つのＲＢのみを示すが、これらのＲＢパターンはＲＢの設定されるセット全体（典型的には、システム帯域幅全体、またはＵＥがＣＳＩ測定をサポートする帯域幅）にわたってＲＢパターンが繰り返されてよいことに留意されたい。
【００６７】
次の２つのサブセクションにおいて、フレキシブルなアグリゲーション部分について説明後、フレキシブルなポートアサイン部分について説明する。これらは共に、本明細書に開示される技法および装置のいくつかの実施形態の１つの態様を含む。いくつかの実施形態の別の態様（フレキシブルなリソースサブサンプリング）については、第３のサブセクションにおいて説明する。
【００６８】
フレキシブルなリソースアグリゲーション
本発明のいくつかの実施形態におけるＣＳＩ−ＲＳリソースは、（ａ）ＯＦＤＭシンボルごとのリソースユニット、および（ｂ）ＯＦＤＭシンボルに加えて、アグリゲートされたリソースへのポートアサインのフレキシブルなアグリゲーションとして規定される。ＣＳＩ−ＲＳの規定は、場合により、このＣＳＩ−ＲＳポートが拡張する複数のＲＢのサポートされるセットを含むこともできる。
【００６９】
（ｂ）について、アグリゲートされたＯＦＤＭシンボルは、連続／隣接している、または非連続的であるのどちらかであってよい。論述を容易にするために、リソースを含むＯＦＤＭシンボルが同じスロット内に含有されると仮定する。しかしながら、いくつかの実施形態では、それらは複数のスロットにわたる場合がある。スロット内のＣＳＩ−ＲＳリソースにおける不連続的なＯＦＤＭシンボルの使用ケースは、周波数誤差推定、および（精確にするために参照信号間のある時間間隔を必要とする）ＵＥに対するトラッキングをサポートするものとすることができる。
【００７０】
図１７は、１個、２個、および４個の連続的なＯＦＤＭシンボルの場合の例示のアグリゲーションを示す。それぞれのボックスの上部のビットマップは、ＯＦＤＭシンボルごとのアグリケーションの基礎を形成するＣＳＩ−ＲＳユニットを指示する。例えば、ビットマップ１１００１１は、アグリゲーションが４つの異なるＣＳＩ−ＲＳユニット：１（それぞれのＯＦＤＭシンボルにおける上２つのサブキャリア）、２（次の２つのサブキャリア）、５（下２つのサブキャリアの真上のサブキャリアのペア）、および６（下２つのサブキャリア）から形成されることを指示する。
【００７１】
時間（ＯＦＤＭシンボル）および周波数（サブキャリア、すなわちユニット）両方にわたるこのようなリソースアグリゲーションでは、いくつかの実施形態では、直交カバーコード（ＯＣＣ）は、ＣＳＩ−ＲＳユニット内および／または間のＬＴＥにおけるもののように適用されてよい。ＯＣＣの使用は、ＯＣＣが時間にわたって適用される場合、ポートごとにより多くのエネルギーを収集するために有用である。これらＯＣＣが周波数にわたって適用される場合、ピーク時の潜在的な固定閾値に反することなくより大きいＣＳＩ−ＲＳ電力増大を適用して、リソースエレメントにわたる電力比を平均化することができる。
【００７２】
フレキシブルなポートアサイン
アグリゲートされたＣＳＩ−ＲＳリソースにおけるポート密度を制御するために、本明細書に開示される技法のいくつかの実施形態において、フレキシブルなポートアサイン方式が採用される。このアプローチによって、ネットワークノードは、ＣＳＩ−ＲＳリソース内のアグリゲートされたリソースに可変数のポートをアサインできる。
【００７３】
少数のポートがより大きいアグリゲートされたリソースにアサインされる場合、高いポート密度が達成されるが、これは、それぞれのポートが多数のリソースエレメントにおいて表されるからである。これは、大きいサブキャリア間隔の場合に有用である。それゆえに、この設定による使用ケースに依存して（リソースブロックごとの１ポート当たりのリソースエレメント数として規定される）ポート密度Ｄを制御することが可能である。
【００７４】
図１７におけるそれぞれのボックスにいくつかの例が示されている。例えば、最下行の左から３番目のボックスにおいて、４ポート、８ポート、および１６ポートのアサインが示されている。これらのアグリゲーションのそれぞれにおいて、１６のＲＥがあるため、３つの場合におけるポート密度Ｄは、それぞれ、４、２、および１のＲＥ／ポート／ＰＲＢである。全ての場合において、ポート数がＲＥ数より少ない時、ポート密度は１ＲＥ／ポート／ＰＲＢを上回る。これは、より小さいサブキャリア間隔が使用された場合と比較して、周波数領域におけるチャネルの同様に間隔をあけたサンプルを維持するようにするより大きいサブキャリア間隔にとって、利益がある。
【００７５】
図１８は、図１７に示されるリソース割り当てのいくつかに対する例示のポート番号マッピングを示す。１つの実施形態では、ポート番号は最初周波数にわたって（ＣＳＩ−ＲＳユニット）、その後時間にわたって（ＯＦＤＭシンボル）マッピングされる。見られるように、所与のポート番号が、ＲＥ／ポート／ＰＲＢに関するポート密度の規定と一致するリソース内にＤ回現れる。
【００７６】
フレキシブルなリソースサブサンプリング
「フレキシブルなリソースアグリゲーション」および「フレキシブルなポートアサイン」という題目の先の２つのサブセクションにおいて、１ＲＥ／ポート／ＰＲＢ以上のフレキシブルで制御可能な密度Ｄを達成するための方法について説明されている。このサブセクションにおいて、ある特定の実施形態の第２の態様について説明することで、１ＲＥ／ポート／ＰＲＢ未満の密度を生じさせることが可能なフレキシブルな密度低減について説明する（Ｄ＜１）。これは、いくつかの目的には有用である。１つは、ビーム管理目的のためであり、この場合、多くは、ビーム掃引を使用して、今後の制御およびデータ送信をビーム形成する際に使用するためのＵＥの「方向」を発見する。このタイプの応用では、周波数次元において比較的希薄なＣＳＩ−ＲＳ密度を有することが有用である。その理由には、（２８ＧＨｚといった高いキャリア周波数において）アナログビーム形成が使用されることが多いため、ビームが広帯域であり、ＣＳＩ−ＲＳアンテナポートに使用される対応するＲＥがこの帯域幅（これは、相対的に見れば、低周波数のサンプリング速度、言い換えれば、大きなサンプリング間隔と称される場合がある）にわたって広がる可能性があることがある。
【００７７】
希薄なＣＳＩ−ＲＳ密度についての別の応用は、チャネルが周波数次元において比較的ゆっくり変化することで、周波数の頻繁なサンプリングが必要でないシナリオにおけるものである。より希薄なパターンは、より高いデータ送信ピーク速度をもたらす可能性があるが、これは、より多くのリソースが、データシンボルをＣＳＩ−ＲＳシンボルによって多重化するのに利用可能であるからである。
【００７８】
Ｄ＜１に対してもフレキシブルで制御可能な密度低減は、本発明のある特定の実施形態において、アグリゲートされたＣＳＩ−ＲＳリソースをサブサンプリング係数ＳＦ＝１、２、３、４、…によってサブサンプリングすることによって達成され、この場合、ＳＦ＝１はサブサンプリングがないことを意味し、ＳＦ＞１はＣＳＩ−ＲＳシンボルが周波数領域における最大限でもＳＦサブキャリアごとに位置することを意味する。サブサンプリングによって、櫛歯の間隔がＳＦに等しい周波数の「コム」構造がもたらされる。より高いＳＦ、すなわち、より高いサブサンプリング係数によって、ＣＳＩ−ＲＳシンボルがより密集する、すなわちサンプル間隔が小さくなるように、サンプリング速度が増大することは諒解されるであろう。
【００７９】
図１９は、ＳＦ＝２を使用する１６のＲＥリソースに対する例示のコムを示す（ＳＦ＝２にとって可能な２つの異なるコムオフセットが示される）。１６個のポートがこのアグリゲートされたリソースにアサインされる場合、ＳＦ＝２の使用によって、必要に応じて１ＲＥ／ポート／ＰＲＢ未満のＤ＝１／２の密度がもたらされる。
【００８０】
このようなコム構造が使用される時、コムのオフセットを導入するためのＳＦ−１の可能性がある。図１９において、１つがオフセットなしで１つがオフセット値Ｏ＝１である２つの可能なコムパターンが示される。コムオフセットの使用は、密度低減のための別の動機として、直交コムを２つの異なるユーザに割り当てるために利益がある可能性がある。
【００８１】
図１９において、値ｍが、特定の帯域幅にわたる場合のＰＲＢインデックスであることは留意されたい。これは、システム帯域幅全体、またはこの一部分、例えば、所与のユーザに割り当てられる部分的な帯域であってよい。この例では、ＣＳＩ−ＲＳユニットは、ＳＦ＝２によるサブサンプリングが使用されるため、２つの異なるＰＲＢにわたる。一般的に、ＣＳＩ−ＲＳユニットがわたるＰＲＢ数はＳＦに等しい。
【００８２】
サブサンプリング係数ＳＦ＝４が６のＣＳＩ−ＲＳユニット全てを使用するパターン（ビットマップ＝１１１１１１）上で使用され、かつ２つのポートがアサインされる、リソースサブサンプリングのなお別の例が図２０に示される。この図における「縞模様」の間におけるサンプルがゼロであることで、このパターンは、インターリーブ周波数分割多元接続（ＩＦＤＮＡ）と称される。このタイプのパターンはビーム管理というコンテキストにおいて行われるビーム掃引動作にとって有用である。ここで、異なるｅＮＢ送信（Ｔｘ）ビームがそれぞれのＯＦＤＭシンボルにおいて使用可能である。さらにまた、それぞれのＯＦＤＭシンボル内で、ＵＥはそのＲｘビームを（ＳＦに等しい）４回掃引できるが、これは、ＩＦＤＭＡパターンがそれぞれのＯＦＤＭシンボル内で周期＝４の定期的な時間領域波形を作り出すからである。
【００８３】
上記の技法を使用することによって、広範なキャリア周波数（１〜１００ＧＨｚ）の実装形態の選定（デジタルまたはアナログビーム形成）をサポートできるＮＲに対するＣＳＩ−ＲＳリソースの非常にフレキシブルかつスケーラブルな規定が可能になる。例えば、本明細書に開示される技法の実施形態は、以下の態様の１つまたは複数によるＣＳＩ−ＲＳリソースの規定を可能にする。
１．周波数領域においてアグリゲートされたリソースユニット（１つのＯＦＤＭシンボル）
ａ．ユニット１、２、３、４、５、および６の特定の組合せを指示する長さ６のビットマップによって説明される
２．時間領域におけるアグリゲートされたリソースユニット
ａ．アグリゲートするＯＦＤＭシンボルインデックス
３．アグリゲートされたリソースにアサインされたポート数
４．サブサンプル係数ＳＦ＝１、２、３、４、…およびコムオフセット＝０、１、…、ＳＦ−１
５．ＣＳＩ−ＲＳリソースが割り当てられる周波数帯域（部分的な帯域、全体の帯域）
６．ＯＣＣ設定（使用される場合）
【００８４】
説明した実施形態は、任意の適した通信標準をサポートし、かつ任意の適したコンポーネントを使用する任意の適切なタイプの通信システムにおいて実装されてよい。１つの例として、ある特定の実施形態は、図１に示されるようなＬＴＥネットワークにおいて実装されてよい。
【００８５】
図１を参照すると、通信ネットワーク１００は、複数の無線通信デバイス１０５（例えば、従来のＵＥ、マシン型通信［ＭＴＣ］／マシンツーマシン［Ｍ２Ｍ］ＵＥ）、および複数の無線アクセスノード１１０（例えば、ｅＮｏｄｅＢまたは他の基地局）を含む。通信ネットワーク１００は、対応する無線アクセスノード１１０を介してコアネットワーク１２０に接続されるセル１１５に組織化される。無線アクセスノード１１０は、無線通信デバイス間、または無線通信デバイスと別の通信デバイス（固定電話など）との間の通信をサポートするのに適した任意の追加のエレメントと共に無線通信デバイス１０５と通信することが可能である。
【００８６】
無線通信デバイス１０５はハードウェアおよび／またはソフトウェアの任意の適した組合せを含む通信デバイスを表すが、これらの無線通信デバイスは、ある特定の実施形態では、図２によってより詳細に示される例示の無線通信デバイスなどのデバイスを表してよい。同様に、示される無線アクセスノードは、ハードウェアおよび／またはソフトウェアの任意の適した組合せを含むネットワークノードを表すことができるが、これらのノードは、特定の実施形態では、図３によってより詳細に示される例示の無線アクセスノードなどのデバイスを表してよい。
【００８７】
図２を参照すると、無線通信デバイス２００は、プロセッサ２０５、メモリ、トランシーバ２１５、およびアンテナ２２０を含む。ある特定の実施形態では、ＵＥ、ＭＴＣもしくはＭ２Ｍデバイス、および／または任意の他のタイプの無線通信デバイスによって提供されるとして説明される機能性の一部または全ては、図２に示されるメモリなどのコンピュータ可読媒体上に記憶される命令を実行するデバイスプロセッサによって提供されてよい。代替的な実施形態は、本明細書に説明される機能性のいずれかを含む、デバイスの機能性のある特定の態様を提供することを担う場合がある、図２に示されるもの以外の追加のコンポーネントを含んでよい。デバイス２０５が、１つまたは複数のマイクロプロセッサ、マイクロコントローラ、およびデジタル信号プロセッサなどを含んでよく、これらの１つまたは複数の処理エレメントが、メモリ２１０に記憶されるプログラムコードを実行するように、トランシーバ２１５を制御するように、および本明細書に説明される機能性の全てまたは一部を実行するように設定されており、いくつかの実施形態では、本明細書に説明される機能性の全てまたは一部を遂行する、ハードコードされたデジタルロジックを含んでよいことは、諒解されるであろう。「処理回路」という用語は、本明細書では、処理エレメントのこれらの組合せの任意の１つに言及するために使用される。
【００８８】
図３を参照すると、無線アクセスノード３００は、ノードプロセッサ３０５、メモリ３１０、ネットワークインターフェース３１５、トランシーバ３２０、およびアンテナ３２５を含む。さらにまた、ノードプロセッサ３０５が、１つまたは複数のマイクロプロセッサ、マイクロコントローラ、およびデジタル信号プロセッサなどを含んでよく、これらの１つまたは複数の処理エレメントが、メモリ３１０に記憶されるプログラムコードを実行するように、トランシーバ３２０およびネットワーク３１５を制御するように、および本明細書に説明される機能性の全てまたは一部を実行するように設定されており、いくつかの実施形態では、本明細書に説明される機能性の全てまたは一部を遂行する、ハードコードされたデジタルロジックを含んでよいことは、諒解されるであろう。機能性は、例えば、図４および図５のフローチャートに示される動作を含む。「処理回路」という用語は、本明細書では、処理エレメントのこれらの組合せの任意の１つに言及するために使用される。
【００８９】
よって、ある特定の実施形態では、基地局、ノードＢ、ｅＮｏｄｅＢ、および／または任意の他のタイプのネットワークノードによって提供されると説明される機能性の一部または全ては、図３に示されるメモリ３１０などのコンピュータ可読媒体上に記憶される命令を実行するノードプロセッサ３０５によって提供されてよい。さらにまた、この機能性は、例えば、図４および図５のフローチャートに示される動作を含む。無線アクセスノード３００の代替的な実施形態は、本明細書に説明される機能性、および／または関連のサポート機能性などの追加の機能性を提供するための追加のコンポーネントを含んでよい。
【００９０】
図４は、ネットワークノード（例えば、無線アクセスノード１１０）を動作させる例示の方法４００を示すフローチャートである。方法４００は、参照信号リソースが周波数領域および時間領域の１つまたは複数においてアグリゲートされるステップ４０５を含む。方法は、１つまたは複数の無線デバイス（１０５）に送信されるアグリゲートされた参照信号リソースの密度特性が調節されるステップ４１０をさらに含む。方法は、調節された密度特性を有するアグリゲートされた参照信号リソースを使用して、参照信号が１つまたは複数の無線デバイス（１０５）のそれぞれに送信されるステップ４１５をさらに含む。方法は、いくつかの実施形態では、１つまたは複数の無線デバイス（１０５）に対する、密度特性を有するアグリゲートされた参照信号リソースの指示をシグナリングすることをまたさらに含んでよい。
【００９１】
図５は別のフローチャートを示し、このフローチャートは、本明細書に説明される技法の１つまたは複数に従って、無線通信ネットワークにおける無線デバイスによる測定のための参照信号を送信するために使用される可変密度の参照信号リソースを選択的に設定する、無線通信ネットワークのネットワークノード（１１０）における例示の方法５００を示す。
【００９２】
ブロック５１０に見られるように、示される方法は、複数のリソースアグリゲーションの中からリソースアグリゲーションを選択することを含む。この場合、複数の異なっているリソースアグリゲーションのそれぞれは、異なる番号のリソースユニットを有し、かつ１つまたは複数のリソースブロックのそれぞれごとに、それぞれの送信スロット内のリソースユニットを伝達する第１の番号ｉのＯＦＤＭシンボル、および第１の番号のＯＦＤＭシンボルのそれぞれごとの第２の番号ｊのリソースユニットを含む。それぞれのリソースブロックは、周波数領域における所定数のサブキャリアを含む。
【００９３】
ブロック５２０に見られるように、方法は、それぞれの送信スロット内のリソースユニットが割り当てられる、第３の番号ｐのポートを選択することをさらに含む。上述されるように、ブロック５１０および５２０に示されるステップを行うことで、リソースブロックごとの参照信号ポート密度Ｄを有する参照信号リソース設定はそれによって、設定される。
【００９４】
ブロック５４０に見られるように、方法は、ｐ個のポートのそれぞれに対して、少なくとも１つの送信スロットにおけるそれぞれのポートに割り当てられるリソースユニットを使用して、少なくとも１つの送信スロットにおいて無線デバイスに参照信号を送信することをさらに含む。いくつかの実施形態では、方法は、ブロック５３０に示されるように、無線デバイスに参照信号リソース設定の指示をシグナリングすることをさらに含んでよい。
【００９５】
いくつかの実施形態では、上記のそれぞれに言及されるリソースユニットは、２つの隣接するＯＦＤＭリソースエレメントから成る。いくつかの実施形態では、それぞれの送信スロット内の第１の番号ｉのＯＦＤＭシンボルは連続している。
【００９６】
いくつかの実施形態では、ｐ個のポートのそれぞれに対して参照信号を送信することは、参照信号を送信する前に所定の信号シーケンスに直交カバーコードを適用することを含む。いくつかの実施形態では、方法は、複数のサブサンプリング係数からサブサンプリング係数ＳＦを選択することであって、それぞれのサブサンプリング係数は周波数領域における参照信号シンボルの異なる最小間隔に対応することで、Ｄ’＝Ｄ／ＳＦである、リソースブロックごとの低減した参照信号ポート密度Ｄ’を有する低減密度の参照信号設定を規定する、選択することをさらに含む。これらの実施形態では、少なくとも１つの送信スロットにおいて無線デバイスに参照信号を送信することは、低減密度の参照信号設定に従って参照信号を送信することを含む。
【００９７】
上述されるように、例示の実施形態は、方法、および方法のステップを行うための機能性を提供するさまざまなモジュールから成る対応する装置の両方を提供する。モジュールは、（特定用途向け集積回路といった集積回路を含む１つまたは複数のチップにおいて具現化される）ハードウェアとして実装されてよい、または、プロセッサによる実行のためのソフトウェアまたはファームウェアとして実装されてよい。特に、ファームウェアまたはソフトウェアの場合、例示の実施形態は、コンピュータプロセッサによる実行のためにコンピュータプログラムコード（すなわち、ソフトウェアまたはファームウェア）が具現化されているコンピュータ可読記憶媒体を含むコンピュータプログラム製品として提供可能である。コンピュータ記憶可読媒体は、非一時的（例えば、磁気ディスク、光ディスク、読み出し専用メモリ、フラッシュメモリデバイス、位相変化メモリ）または一時的（例えば、搬送波、赤外線信号、デジタル信号などの電気、光、音響、または他の形態の伝搬される信号）であってよい。プロセッサおよび他のコンポーネントの結合は、典型的には、１つまたは複数のバスまたはブリッジ（バスコントローラともいう）を通すものである。記憶デバイス、およびデジタルトラフィックを伝達する信号はそれぞれ、１つまたは複数の非一時的または一時的なコンピュータ可読記憶媒体を表す。よって、所与の電子デバイスの記憶デバイスは、典型的には、コントローラなどのその電子デバイスの１つまたは複数のプロセッサのセット上での実行のためのコードおよび／またはデータを記憶する。
【００９８】
実施形態およびこの利点が詳細に説明されているが、添付の特許請求の範囲によって規定されるこれらの趣旨および範囲から逸脱することなく、さまざまな変更、代入、および代替が行われ得ることは、理解されるべきである。例えば、上に論じられる特徴および機能の多くは、ソフトウェア、ハードウェア、ファームウェア、またはこれらの組合せで実装可能である。また、特徴、機能、および上記を動作させるステップの多くは、再順序付け、省略、追加などが行われてよく、さらにはさまざまな実施形態の広範な範囲内にある。
【００９９】
略語のリスト
ＴＲＰ  送信／受信ポイント
ＵＥ  ユーザ機器
ＮＷ  ネットワーク
ＢＰＬ  ビームペアリンク
ＢＬＦ  ビームペアリンク障害
ＢＬＭ  ビームペアリンクモニタリング
ＢＰＳ  ビームペアリンクスイッチ
ＲＬＭ  無線リンクモニタリング
ＲＬＦ  無線リンク障害
ＰＤＣＣＨ  物理ダウンリンク制御チャネル
ＲＲＣ  無線リソース制御
ＣＲＳ  セル固有参照信号
ＣＳＩ−ＲＳ  チャネル状態情報参照信号
ＲＳＲＰ  参照信号受信電力
ＲＳＲＱ  参照信号受信品質
ｇＮＢ  ＮＲ基地局
ＰＲＢ  物理リソースブロック
ＲＥ  リソースエレメント
【図１】
0006987863.tif 000011
【図２】
0006987863.tif 000012
【図３】
0006987863.tif 000013
【図４】
0006987863.tif 000014
【図５】
0006987863.tif 000015
【図６】
0006987863.tif 000016
【図７】
0006987863.tif 000017
【図８】
0006987863.tif 000018
【図９】
0006987863.tif 000019
【図１０】
0006987863.tif 000020
【図１１】
0006987863.tif 000021
【図１２】
0006987863.tif 000022
【図１３】
0006987863.tif 000023
【図１４】
0006987863.tif 000024
【図１５】
0006987863.tif 000025
【図１６】
0006987863.tif 000026
【図１７】
0006987863.tif 000027
【図１８】
0006987863.tif 000028
【図１９】
0006987863.tif 000029
【図２０】
0006987863.tif 000030